(57)【要約】【課題】暗号化されたファイルと暗号化されていないファイルが混在する場合であっても、ファイルの内容を出力するためが操作性を向上させることができるファイル処理装置を提供する。【解決手段】プレビュー以外により一覧表示するべき１以上のファイルに含まれている各ファイルが暗号化されているか否かを確認する暗号化確認手段と、各ファイルが暗号化されているか否かがわかる態様で１以上のファイルを一覧表示する一覧表示手段と、前記一覧表示において選択されたファイルが暗号化されているファイルならば、該ファイルを入力されたパスワードを用いて暗号解読する暗号解読手段と、前記暗号解読手段により暗号解読されたファイルを出力する出力手段と、を備える。【選択図】図４Ａ
2020061076.tif 000002
【特許請求の範囲】
【請求項１】
プレビュー以外により一覧表示するべき１以上のファイルに含まれている各ファイルが暗号化されているか否かを確認する暗号化確認手段と、
各ファイルが暗号化されているか否かがわかる態様で１以上のファイルを一覧表示する一覧表示手段と、
前記一覧表示において選択されたファイルが暗号化されているファイルならば、該ファイルを入力されたパスワードを用いて暗号解読する暗号解読手段と、
前記暗号解読手段により暗号解読されたファイルを出力する出力手段と、
を備えることを特徴とするファイル処理装置。
【請求項２】
請求項１に記載のファイル処理装置であって、
前記一覧表示において選択されたファイルが暗号化されているファイルならば、該ファイルのプレビューに必要な部分を入力されたパスワードを用いて暗号解読するプレビュー用暗号解読手段と、
前記プレビュー用暗号解読手段によりプレビューが必要な部分を暗号解読されたファイルをプレビュー出力するプレビュー出力手段と、
を更に備えることを特徴とするファイル処理装置。
【請求項３】
請求項１又は２に記載のファイル処理装置であって、
前記一覧表示において選択されたファイルが暗号化されているファイルならば、パスワード入力用画面を表示するパスワード入力用表示手段を更に備え、
前記暗号解読手段は、前記パスワード入力用画面に入力されたパスワードを用いて暗号解読することを特徴とするファイル処理装置。
【請求項４】
請求項１乃至３の何れか１項に記載のファイル処理装置であって、
前記一覧表示手段は、前記暗号化確認手段によりエラーが含まれていることが判明したファイルをそれがわかるような態様で表示することを特徴とするファイル処理装置。
【請求項５】
各ファイルが暗号化されているか否かがわからない態様で１以上のファイルをプレビュー以外により一覧表示する一覧表示手段と、
前記一覧表示において選択されたファイルが暗号化されているか否かを確認する暗号化確認手段と、
前記一覧表示において選択されたファイルが暗号化されているファイルならば、該ファイルを入力されたパスワードを用いて暗号解読する暗号解読手段と、
前記暗号解読手段により暗号解読されたファイルを出力する出力手段と、
を備えることを特徴とするファイル処理装置。
【請求項６】
請求項５に記載のファイル処理装置であって、
前記一覧表示において選択されたファイルが暗号化されているファイルならば、該ファイルのプレビューに必要な部分を入力されたパスワードを用いて暗号解読するプレビュー用暗号解読手段と、
前記プレビュー用暗号解読手段によりプレビューが必要な部分を暗号解読されたファイルをプレビュー出力するプレビュー出力手段と、
を更に備えることを特徴とするファイル処理装置。
【請求項７】
請求項５又は６に記載のファイル処理装置であって、
前記一覧表示において選択されたファイルが暗号化されているファイルならば、パスワード入力用画面を表示するパスワード入力用表示手段を更に備え、
前記暗号解読手段は、前記パスワード入力用画面に入力されたパスワードを用いて暗号解読することを特徴とするファイル処理装置。
【請求項８】
請求項５乃至７の何れか１項に記載のファイル処理装置であって、
前記一覧表示手段は、前記暗号化確認手段によりエラーが含まれていることが判明したファイルをそれがわかるような態様で表示することを特徴とするファイル処理装置。
【請求項９】
プレビュー以外により一覧表示するべき１以上のファイルに含まれている各ファイルが暗号化されているか否かを確認する第１暗号化確認手段と、
各ファイルが暗号化されているか否かがわかる態様で１以上のファイルを一覧表示する第１一覧表示手段と、
前記第１一覧表示手段による前記一覧表示において選択されたファイルが暗号化されているファイルならば、該ファイルを入力されたパスワードを用いて暗号解読する第１暗号解読手段と、
各ファイルが暗号化されているか否かがわからない態様で１以上のファイルをプレビュー以外により一覧表示する第２一覧表示手段と、
前記第２一覧表示手段による前記一覧表示において選択されたファイルが暗号化されているか否かを確認する第２暗号化確認手段と、
前記第２一覧表示手段による前記一覧表示において選択されたファイルが暗号化されているファイルならば、該ファイルを入力されたパスワードを用いて暗号解読する第２暗号解読手段と、
前記第１暗号化確認手段、前記第１一覧表示手段及び前記第１暗号解読手段による処理又は前記第２一覧表示手段、前記第２暗号化確認手段及び前記第２暗号解読手段による処理の何れかを選択する選択手段と、
前記第１暗号解読手段又は前第２暗号解読手段により暗号解読されたファイルを出力する出力手段と、
を備えることを特徴とするファイル処理装置。
【請求項１０】
請求項９に記載のファイル処理装置であって、
前記選択とは、利用者に対して設定されている優先事項、ファイルの入力先に対して設定されている優先事項、自ファイル処理装置を含む装置に対して設定されている優先事項又は前記利用者予備前記ファイルの入力先の組み合わせに対して設定されている優先事項の何れかに応じた選択であることを特徴とするファイル処理装置。
【請求項１１】
一覧表示するべき１以上のファイルに含まれている各ファイルが暗号化されているか否かを確認する暗号化確認手段と、
暗号化されていないファイルをプレビューにより、暗号化されているファイルをプレビュー以外により一覧表示する一覧表示手段と、
前記一覧表示において選択されたファイルが暗号化されているファイルならば、該ファイルを入力されたパスワードを用いて暗号解読する暗号解読手段と、
前記暗号解読手段により暗号解読されたファイルを出力する出力手段と、
を備えることを特徴とするファイル処理装置。
【請求項１２】
請求項１１に記載のファイル処理装置であって、
前記一覧表示において選択されたファイルが暗号化されているファイルならば、該ファイルのプレビューに必要な部分を入力されたパスワードを用いて暗号解読するプレビュー用暗号解読手段と、
前記プレビュー用暗号解読手段によりプレビューが必要な部分を暗号解読されたファイルをプレビュー出力するプレビュー出力手段と、
を更に備えることを特徴とするファイル処理装置。
【請求項１３】
請求項１２に記載のファイル処理装置であって、
前記一覧表示手段は、暗号化されていないファイル及び暗号化されているファイルであって入力されたパスワードにより暗号解読できたファイルをプレビューにより、暗号化されているファイルであって入力されたパスワードにより暗号解読できなかったファイルをプレビュー以外により一覧表示することを特徴とするファイル処理装置。
【請求項１４】
請求項１２又は１３に記載のファイル処理装置であって、
前記一覧表示において選択されたファイルが暗号化されているファイルならば、パスワード入力用画面を表示するパスワード入力用表示手段を更に備え、
前記暗号解読手段は、前記パスワード入力用画面に入力されたパスワードを用いて暗号解読することを特徴とするファイル処理装置。
【請求項１５】
請求項１１乃至１４の何れか１項に記載のファイル処理装置であって、
前記一覧表示手段は、前記暗号化確認手段によりエラーが含まれていることが判明したファイルをそれがわかるような態様で表示することを特徴とするファイル処理装置。
【請求項１６】
プレビュー以外により一覧表示するべき１以上のファイルに含まれている各ファイルが暗号化されているか否かを確認する暗号化確認ステップと、
各ファイルが暗号化されているか否かがわかる態様で１以上のファイルを一覧表示する一覧表示ステップと、
前記一覧表示において選択されたファイルが暗号化されているファイルならば、該ファイルを入力されたパスワードを用いて暗号解読する暗号解読ステップと、
前記暗号解読手段により暗号解読されたファイルを出力する出力ステップと、
を有することを特徴とするファイル処理方法。
【請求項１７】
各ファイルが暗号化されているか否かがわからない態様で１以上のファイルをプレビュー以外により一覧表示する一覧表示ステップと、
前記一覧表示において選択されたファイルが暗号化されているか否かを確認する暗号化確認ステップと、
前記一覧表示において選択されたファイルが暗号化されているファイルならば、該ファイルを入力されたパスワードを用いて暗号解読する暗号解読ステップと、
前記暗号解読手段により暗号解読されたファイルを出力する出力ステップと、
を有することを特徴とするファイル処理方法。
【請求項１８】
プレビュー以外により一覧表示するべき１以上のファイルに含まれている各ファイルが暗号化されているか否かを確認する第１暗号化確認ステップと、
各ファイルが暗号化されているか否かがわかる態様で１以上のファイルを一覧表示する第１一覧表示ステップと、
前記第１一覧表示手段による前記一覧表示において選択されたファイルが暗号化されているファイルならば、該ファイルを入力されたパスワードを用いて暗号解読する第１暗号解読ステップと、
各ファイルが暗号化されているか否かがわからない態様で１以上のファイルをプレビュー以外により一覧表示する第２一覧表示ステップと、
前記第２一覧表示手段による前記一覧表示において選択されたファイルが暗号化されているか否かを確認する第２暗号化確認ステップと、
前記第２一覧表示手段による前記一覧表示において選択されたファイルが暗号化されているファイルならば、該ファイルを入力されたパスワードを用いて暗号解読する第２暗号解読ステップと、
前記第１暗号化確認ステップ、前記第１一覧表示ステップ及び前記第１暗号解読ステップによる処理又は前記第２一覧表示ステップ、前記第２暗号化確認ステップ及び前記第２暗号解読ステップによる処理の何れかを選択する選択ステップと、
前記第１暗号解読ステップ又は前第２暗号解読ステップにより暗号解読されたファイルを出力する出力ステップと、
を有することを特徴とするファイル処理方法。
【請求項１９】
一覧表示するべき１以上のファイルに含まれている各ファイルが暗号化されているか否かを確認する暗号化確認ステップと、
暗号化されていないファイルをプレビューにより、暗号化されているファイルをプレビュー以外により一覧表示する一覧表示ステップと、
前記一覧表示において選択されたファイルが暗号化されているファイルならば、該ファイルを入力されたパスワードを用いて暗号解読する暗号解読ステップと、
前記暗号解読手段により暗号解読されたファイルを出力する出力ステップと、
を有することを特徴とするファイル処理方法。
【請求項２０】
コンピュータを請求項１乃至１５の何れか１項に記載のファイル処理装置として機能させるためのプログラム。
【発明の詳細な説明】
【技術分野】
【０００１】
本発明は、ファイル処理装置、複合機及びファイル処理方法に関し、特に、暗号化されているファイルを処理するためのファイル処理装置、複合機及びファイル処理方法に関する。
【背景技術】
【０００２】
少なくとも一部の複合機は、本体又は周辺装置に接続されたＵＳＢメモリなどのメモリカードに記録されているファイルの内容をそこから読み込んで印刷する機能を有している。
【０００３】
例えば、メモリカードにＰＤＦファイルが記録されているならば、そのファイルの内容を印刷することができる。また、メモリカードに所定のコンピュータアプリケーション（例えば、文書作成用アプリケーション、表計算用アプリケーション、プレゼンテーション資料作成用アプルケーションなど）により作成されたファイルが記録されているならば、ダイレクト印刷機能を用いて、そのファイルの内容を印刷することができる。
【０００４】
従来、利用者がＵＳＢメモリ等に保存したＰＤＦファイルを印刷する場合、「ファイル選択」→「印刷」を指定してから、本解析を行うため、仮に暗号化ＰＤＦファイルであればパスワードなしで解析エラーとなる。その暗号化ＰＤＦファイルをＭＦＰに保存し、再度ファイルを選択してパスワード入力することで印刷可能にしていた。そのため、暗号化ＰＤＦファイルをダイレクト印刷する場合、操作性が悪かった。
【０００５】
この例を示した図１Ａ、図１Ｂ及び図１Ｃを参照すると、ＭＦＰの操作パネル８４３において、まずＵＳＢメモリ９０１が入力先として選択されると、ＵＳＢメモリに記録されているファイルの一覧９０３が表示される。
【０００６】
ここで、実際には、File1.pdfとFile3.pdfは暗号化されていないが、File2.pdfは暗号化されている。
【０００７】
しかし、一覧９０３を表示するときには、各ファイルが暗号化されているか否かがわからないため、一覧９０３においては各ファイルは暗号化されているか否かがわからない態様で表示される。
【０００８】
この一覧９０３から実際には暗号化されているが複合機から見ると暗号化されているか否かがわからないままのFile2.pdfが利用者などにより選択されると、File2.pdfについての画面９０５が表示される。画面９０５において利用者などにより「印刷」ボタン９０７が押されると、File2.pdfに基づいた印刷の実行が試みられるが、File2.pdf内部の暗号化に関する情報によりFile2.pdfが暗号化されていることが、この段階において初めてわかる。
【０００９】
この場合には、File2.pdfは、スプールに保存される。そして、「File2.pdfが保存されました。スプールキューで暗号化ＰＤＦのパスワードを入力して下さい。」を表示するメッセージ表示ウィンドウ９０９が表示される。
【００１０】
スプールキューの内容を表示する画面９１１においては、File2.pdfが表示されている。この画面９１１において利用者などによりFile2.pdfが選択されると、暗号解読用パスワードを入力するためのテキストボックス９１３が表示される。利用者などによりこのテキストボックス９１３に暗号解読用パスワードが入力されてから「印刷」ボタン９１５が押されたならば、File2.pdfは、テキストボックス９１３に入力されたパスワードにより暗号解読され、File2.pdfの内容は印刷される。
【００１１】
なお、ダイレクト印刷機能が備わる複合機であれば、ＰＤＦファイルの印刷に限らず、ダイレクト印刷機能が対応しているフォーマットのファイルも同様な扱いとなる。
【先行技術文献】
【特許文献】
【００１２】
【特許文献１】特開２００６−３４１４０４号公報
【発明の概要】
【発明が解決しようとする課題】
【００１３】
従来は、上記のように、暗号化されたファイルを印刷するためには、そのファイルを一旦スプールキューに保存してから、利用者による暗号解読用パスワードの入力を待つ必要がある。
【００１４】
特に、印刷しようとするファイルが暗号化されていることを覚えていない利用者にとっては、ファイルを選択してから「印刷」ボタンを押すだけでファイルの内容が印刷されると期待しているのに、実際には、そうならず、スプールキューから再度同一のファイルを選択してから、暗号解読用パスワードを入力し、再度「印刷」ボタンを押す必要が生じてしまうので、操作性が悪い。
【００１５】
なお、特許文献１では、暗号化ＰＤＦファイルを選択後にパスワード入力して印刷する方法が開示されている。これは暗号化されたファイルをそのまま保存するか、復号化後のファイルを保存するかを選択するものである。
【００１６】
そこで、本発明は、暗号化されたファイルと暗号化されていないファイルが混在する場合であっても、ファイルの内容を出力するためが操作性を向上させることができるファイル処理装置、複合機及びファイル処理方法を提供することを目的とする。
【課題を解決するための手段】
【００１７】
本発明によれば、
プレビュー以外により一覧表示するべき１以上のファイルに含まれている各ファイルが暗号化されているか否かを確認する暗号化確認手段と、
各ファイルが暗号化されているか否かがわかる態様で１以上のファイルを一覧表示する一覧表示手段と、
前記一覧表示において選択されたファイルが暗号化されているファイルならば、該ファイルを入力されたパスワードを用いて暗号解読する暗号解読手段と、
前記暗号解読手段により暗号解読されたファイルを出力する出力手段と、
を備えることを特徴とするファイル処理装置が提供される。
【００１８】
また、本発明によれば、
各ファイルが暗号化されているか否かがわからない態様で１以上のファイルをプレビュー以外により一覧表示する一覧表示手段と、
前記一覧表示において選択されたファイルが暗号化されているか否かを確認する暗号化確認手段と、
前記一覧表示において選択されたファイルが暗号化されているファイルならば、該ファイルを入力されたパスワードを用いて暗号解読する暗号解読手段と、
前記暗号解読手段により暗号解読されたファイルを出力する出力手段と、
を備えることを特徴とするファイル処理装置が提供される。
【００１９】
更に、本発明によれば、
プレビュー以外により一覧表示するべき１以上のファイルに含まれている各ファイルが暗号化されているか否かを確認する第１暗号化確認手段と、
各ファイルが暗号化されているか否かがわかる態様で１以上のファイルを一覧表示する第１一覧表示手段と、
前記第１一覧表示手段による前記一覧表示において選択されたファイルが暗号化されているファイルならば、該ファイルを入力されたパスワードを用いて暗号解読する第１暗号解読手段と、
各ファイルが暗号化されているか否かがわからない態様で１以上のファイルをプレビュー以外により一覧表示する第２一覧表示手段と、
前記第２一覧表示手段による前記一覧表示において選択されたファイルが暗号化されているか否かを確認する第２暗号化確認手段と、
前記第２一覧表示手段による前記一覧表示において選択されたファイルが暗号化されているファイルならば、該ファイルを入力されたパスワードを用いて暗号解読する第２暗号解読手段と、
前記第１暗号化確認手段、前記第１一覧表示手段及び前記第１暗号解読手段による処理又は前記第２一覧表示手段、前記第２暗号化確認手段及び前記第２暗号解読手段による処理の何れかを選択する選択手段と、
前記第１暗号解読手段又は前第２暗号解読手段により暗号解読されたファイルを出力する出力手段と、
を備えることを特徴とするファイル処理装置が提供される。
【００２０】
更に、本発明によれば、
一覧表示するべき１以上のファイルに含まれている各ファイルが暗号化されているか否かを確認する暗号化確認手段と、
暗号化されていないファイルをプレビューにより、暗号化されているファイルをプレビュー以外により一覧表示する一覧表示手段と、
前記一覧表示において選択されたファイルが暗号化されているファイルならば、該ファイルを入力されたパスワードを用いて暗号解読する暗号解読手段と、
前記暗号解読手段により暗号解読されたファイルを出力する出力手段と、
を備えることを特徴とするファイル処理装置が提供される。
【００２１】
更に、本発明によれば、
プレビュー以外により一覧表示するべき１以上のファイルに含まれている各ファイルが暗号化されているか否かを確認する暗号化確認ステップと、
各ファイルが暗号化されているか否かがわかる態様で１以上のファイルを一覧表示する一覧表示ステップと、
前記一覧表示において選択されたファイルが暗号化されているファイルならば、該ファイルを入力されたパスワードを用いて暗号解読する暗号解読ステップと、
前記暗号解読手段により暗号解読されたファイルを出力する出力ステップと、
を有することを特徴とするファイル処理方法が提供される。
【００２２】
更に、本発明によれば、
各ファイルが暗号化されているか否かがわからない態様で１以上のファイルをプレビュー以外により一覧表示する一覧表示ステップと、
前記一覧表示において選択されたファイルが暗号化されているか否かを確認する暗号化確認ステップと、
前記一覧表示において選択されたファイルが暗号化されているファイルならば、該ファイルを入力されたパスワードを用いて暗号解読する暗号解読ステップと、
前記暗号解読手段により暗号解読されたファイルを出力する出力ステップと、
を有することを特徴とするファイル処理方法が提供される。
【００２３】
更に、本発明によれば、
プレビュー以外により一覧表示するべき１以上のファイルに含まれている各ファイルが暗号化されているか否かを確認する第１暗号化確認ステップと、
各ファイルが暗号化されているか否かがわかる態様で１以上のファイルを一覧表示する第１一覧表示ステップと、
前記第１一覧表示手段による前記一覧表示において選択されたファイルが暗号化されているファイルならば、該ファイルを入力されたパスワードを用いて暗号解読する第１暗号解読ステップと、
各ファイルが暗号化されているか否かがわからない態様で１以上のファイルをプレビュー以外により一覧表示する第２一覧表示ステップと、
前記第２一覧表示手段による前記一覧表示において選択されたファイルが暗号化されているか否かを確認する第２暗号化確認ステップと、
前記第２一覧表示手段による前記一覧表示において選択されたファイルが暗号化されているファイルならば、該ファイルを入力されたパスワードを用いて暗号解読する第２暗号解読ステップと、
前記第１暗号化確認ステップ、前記第１一覧表示ステップ及び前記第１暗号解読ステップによる処理又は前記第２一覧表示ステップ、前記第２暗号化確認ステップ及び前記第２暗号解読ステップによる処理の何れかを選択する選択ステップと、
前記第１暗号解読ステップ又は前第２暗号解読ステップにより暗号解読されたファイルを出力する出力ステップと、
を有することを特徴とするファイル処理方法が提供される。
【００２４】
更に、本発明によれば、
一覧表示するべき１以上のファイルに含まれている各ファイルが暗号化されているか否かを確認する暗号化確認ステップと、
暗号化されていないファイルをプレビューにより、暗号化されているファイルをプレビュー以外により一覧表示する一覧表示ステップと、
前記一覧表示において選択されたファイルが暗号化されているファイルならば、該ファイルを入力されたパスワードを用いて暗号解読する暗号解読ステップと、
前記暗号解読手段により暗号解読されたファイルを出力する出力ステップと、
を有することを特徴とするファイル処理方法が提供される。
【００２５】
更に、本発明によれば、コンピュータを上記のファイル処理装置として機能させるためのプログラムが提供される。
【発明の効果】
【００２６】
本発明によれば、暗号化されたファイルと暗号化されていないファイルが混在する場合であっても、ファイルの内容を出力するためが操作性を向上させることができる。
【図面の簡単な説明】
【００２７】
【図１Ａ】従来のファイル処理方法における画面を示すである。
【図１Ｂ】従来のファイル処理方法における画面を示す他の図である。
【図１Ｃ】従来のファイル処理方法における画面を示す更に他の図である。
【図２】本発明の実施の形態によるファイル処理装置の構成を示す機能ブロック図である。
【図３Ａ】本発明の第１の実施の形態によるファイル処理方法における画面を示す図である。
【図３Ｂ】本発明の第１の実施の形態によるファイル処理方法における画面を示す他の図である。
【図４Ａ】本発明の第１の実施の形態によるファイル処理方法を説明するためのフローチャートである。
【図４Ｂ】本発明の第１、第２及び第３の実施の形態によるファイル処理方法を説明するための他のフローチャートである。
【図５Ａ】本発明の第２の実施の形態によるファイル処理方法における画面を示す図である。
【図５Ｂ】本発明の第２の実施の形態によるファイル処理方法における画面を示す他の図である。
【図６】本発明の第２の実施の形態によるファイル処理方法を説明するためのフローチャートである。
【図７Ａ】本発明の第３の実施の形態によるファイル処理方法における画面を示す図である。
【図７Ｂ】本発明の第３の実施の形態によるファイル処理方法における画面を示す他の図である。
【図７Ｃ】本発明の第３の実施の形態によるファイル処理方法における画面を示す更に他の図である。
【図８】本発明の第３の実施の形態によるファイル処理方法を説明するためのフローチャートである。
【図９Ａ】本発明の第４の実施の形態によるファイル処理方法における画面を示す図である。
【図９Ｂ】本発明の第４の実施の形態によるファイル処理方法における画面を示す他の図である。
【図９Ｃ】本発明の第４の実施の形態によるファイル処理方法における画面を示す更に他の図である。
【図１０Ａ】本発明の第４の実施の形態によるファイル処理方法を説明するためのフローチャートである。
【図１０Ｂ】本発明の第４の実施の形態によるファイル処理方法を説明するための他のフローチャートである。
【図１０Ｃ】本発明の第４の実施の形態によるファイル処理方法を説明するための更に他のフローチャートである。
【図１１】本発明の第５の実施の形態によるファイル処理方法における画面を示す図である。
【図１２】本発明の第７の実施の形態による複合機の概念的断面図である。
【図１３】本発明の第７の実施の形態による複合機の機能ブロック図である。
【発明を実施するための形態】
【００２８】
以下、図面を参照して本発明を実施するための形態について詳細に説明する。
【００２９】
まず、用語の定義をすると、
・「一次解析」とは、ＰＤＦファイルが暗号化ＰＤＦファイルか非暗号化ＰＤＦファイルかを判定するための解析処理のことである。
・「本解析」とは、暗号化ＰＤＦファイル又は非暗号化ＰＤＦファイルから印刷用画像データを生成するための解析処理のことである。暗号化ＰＤＦファイルの場合は、暗号解読用パスワード（以下、単に「パスワード」ということもある。）の入力が必要である。
・「プレビュー解析」とは、暗号化ＰＤＦファイル又は非暗号化ＰＤＦファイルの一部からプレビュー用画像データを生成するための解析処理のことである。暗号化ＰＤＦの場合は、パスワードの入力が必要である。プレビュー用画像データは、印刷用画像データよりも低解像度でよいため、ＰＤＦファイルの高解像度を形成する部分を解析処理する必要がなく、「プレビュー解析」の所要時間は、「本解析」の所要時間よりも短い。
【００３０】
図２は、本発明の実施の形態によるファイル処理装置の構成例を示す機能ブロック図である。
【００３１】
ファイル処理装置１０１は、Ｉ／Ｏ部１０１、データ解析部１０５、画像生成部１０７、エンジン制御部１０９、ジョブ制御部１１１、メモリ管理部１１３、ＵＩ制御部１１５を備える。
【００３２】
Ｉ／Ｏ部１０１は、ネットワーク１２１、ＵＳＢ（図示せず）等を経由しての外部装置（図示せず）との通信を行う。
【００３３】
データ解析部１０５は、暗号化ファイルの判定、ＰＤＦファイルの解析処理を行う。
【００３４】
画像生成部１０７は、ジョブに含まれる印刷情報を解析し、ジョブの種別、部数指定、用紙サイズ、用紙タイプ、トレイ指定など、印刷に必要なデータの解析を行い、印刷に使用する画像データを生成する。また、プレビュー画像を生成する。
【００３５】
エンジン制御部１０９は、画像データを印刷するエンジンの駆動制御を行う。
【００３６】
ジョブ制御部１１１は、ジョブの受信から印刷完了までのジョブの管理を行う。
【００３７】
メモリ管理部１１３は、ハードディスクやメモリ等の記憶装置で構成され、画像データやジョブ情報など印刷に必要な印刷データを記憶し、ワーク領域を含む記憶容量の管理を行う。
【００３８】
ＵＩ制御部１１５は、オペレーションパネル上のメッセージ表示や操作を制御する。
【００３９】
［第１の実施の形態］
本発明の第１の実施の形態においては、ＵＳＢメモリに記録されているファイルを読み込んだならば、それらのファイルをプレビュー以外により一覧表示するが、一覧表示する前に、一次解析を行い、各ファイルが暗号化されているか否かを確認する。一覧表示においては、各ファイルについて暗号化されているか否かがわかる態様で各ファイルを表示する。
【００４０】
なお、プレビュー以外により一覧表示することには、ファイル名で一覧表示すること、アイコンで表示すること、これらの両者で表示することが含まれる。また、ファイルの属性を追加的に表示することも含まれる。
【００４１】
プレビュー以外により一覧表示されている何れかのファイルが利用者などにより選択されたならば、そのファイルを本解析してから内容を印刷するが、選択されたファイルが暗号化されているならば、パスワードを要求するための画面により利用者などによるパスワードの入力を受け付け、本解析においてそのパスワードによりファイルを暗号解読してから、印刷をする。
【００４２】
また、プレビュー表示することも可能であるが、印刷の場合と同様に、選択されたファイルが暗号化されているならば、パスワードを要求するための画面により利用者などによるパスワードの入力を受け付け、プレビュー解析においてそのパスワードによりファイルを暗号解読してから、プレビューをする。
【００４３】
この例を示した図３Ａ及び図３Ｂを参照すると、ＵＩ制御部１１５により制御される操作パネル８４３において、まずＵＳＢメモリ２０１が入力先として選択されると、Ｉ／Ｏ部１０１は、ＵＳＢメモリ２０１に記録されているＰＤＦファイルを読み込む。
【００４４】
次に、データ解析部１０５は、読み込まれた各ＰＤＦファイルについて一次解析を実行する。これにより、各ＰＤＦファイルが暗号化されているか否かがわかる。
【００４５】
次に、ＵＩ制御部１１５は、操作パネル８４３において、ＵＳＢメモリ２０１から読み込まれ、更に、一次解析された各ＰＤＦの一覧２０３を表示する。図３Ａに示す例においては、暗号化されているＰＤＦファイルであるFile2.pdfには、暗号化されていることを示すアスタリスクが付けられている。
【００４６】
次に、一覧２０３において、暗号化されているＰＤＦファイルであるFile2.pdfが選択されたならば、ＵＩ制御部１１５は、操作パネル８４３において暗号解読用パスワードを入力するための画面２０５を表示する。
【００４７】
画面２０５には、暗号解読用パスワードを入力するためのテキストボックス２０５ａの他に、「プレビュー」ボタン２０５ｂ及び「印刷」ボタン２０５ｃが表示される。
【００４８】
暗号解読用パスワードを入力するためのテキストボックス２０５ａにパスワードが入力された後で、「プレビュー」ボタン２０５ｂが押されたならば、データ解析部１０５は、暗号化されているＰＤＦファイルであるFile2.pdfを暗号解読しながらプレビュー解析する。そして、ＵＩ制御部１１５は、操作パネル８４３にFile2.pdfの内容をプレビュー表示する。
【００４９】
暗号解読用パスワードを入力するためのテキストボックス２０５ａにパスワードが入力された後で、「印刷」ボタン２０５ｃが押されたならば、ＵＩ制御部１１５は、操作パネル８４３において印刷設定画面２０７を表示する。印刷設定画面２０７には、「用紙サイズ」ボタン２０７ａ、「カラーモード」ボタン２０７ｂ、「両面」ボタン２０７ｃ、「印刷」ボタン２０７ｄが表示される。利用者は、必要に応じて「用紙サイズ」ボタン２０７ａ、「カラーモード」ボタン２０７ｂ、「両面」ボタン２０７ｃを用いてこれらの設定をする。印刷設定画面２０７において「印刷」ボタン２０７ｄが押されたならば、データ解析部１０５は、暗号化されているＰＤＦファイルであるFile2.pdfを暗号解読しながら本解析する。そして、画像生成部１０７、ジョブ制御部１１１、エンジン制御部１０９、画像形成部３０などによりFile2.pdfの内容を印刷する。
【００５０】
次に、一覧２０３において、暗号化されていないＰＤＦファイルであるFile1.pdfが選択されたならば、ＵＩ制御部１１５は、操作パネル８４３において暗号解読用パスワードを入力するためのテキストボックスを含まない画面２０９を表示する。
【００５１】
画面２０９には、「プレビュー」ボタン２０９ｂ及び「印刷」ボタン２０９ｂが表示される。
【００５２】
「プレビュー」ボタン２０９ｂが押されたならば、データ解析部１０５は、暗号化されていないＰＤＦファイルであるFile1.pdfをプレビュー解析する。そして、ＵＩ制御部１１５は、操作パネル８４３にFile1.pdfの内容をプレビュー表示する。
【００５３】
「印刷」ボタン２０９ｂが押されたならば、ＵＩ制御部１１５は、操作パネル８４３において印刷設定画面２１１を表示する。なお、印刷設定画面２１１は、左上に表示されているファイル名が異なるのみで、他は、印刷設定画面２０７と同様である。印刷設定画面２１１には、「用紙サイズ」ボタン２１１ａ、「両面」ボタン２１１ｂ、「カラーモード」ボタン２１１ｃ、「印刷」ボタン２１１ｄが表示される。利用者は、必要に応じて「用紙サイズ」ボタン２１１ａ、「両面」ボタン２１１ｂ、「カラーモード」ボタン２１１ｃを用いてこれらの設定をする。印刷設定画面２１１において「印刷」ボタン２１１ｄが押されたならば、データ解析部１０５は、暗号化されていないＰＤＦファイルであるFile1.pdfを本解析する。そして、画像生成部１０７、ジョブ制御部１１１、エンジン制御部１０９、画像形成部３０などによりFile1.pdfの内容を印刷する。
【００５４】
なお、第１の実施の形態で扱うことができるファイルは、ＰＤＦファイルに限らない。例えば、所定の種類のファイルに対応したダイレクト印刷の機能があるならば、ＰＤＦファイルと同様に扱うことができる。ＰＤＦファイルと所定の種類のファイルが混在していてもよい。そこで、ＰＤＦファイルという用語の代わりにファイルという用語を用いることができる。他の実施の形態においても同様である。
【００５５】
次に、図４Ａ及び図４Ｂを参照して、第１の実施の形態の動作について説明をする。ここでは、上記の理由によりＰＤＦファイルという用語の代わりに、ファイルという用語を用いる。
【００５６】
まず、入力先から読み込んだ全ファイルを一次解析する（ステップＳ５１１）。
【００５７】
次に、各ファイルが暗号化されているか否かを視認できるファイル一覧２０３（図３Ａ）を表示する（ステップＳ５１３）。
【００５８】
次に、ファイル一覧２０３においてファイルが選択され（ステップＳ５１５でＹＥＳ）、それが暗号化ファイルであるならば（ステップＳ５１７でＹＥＳ）、パスワード入力用テキストボックスを含む印刷用予備画面２０５（図３Ｂ）を表示する（ステップＳ５１９）。
【００５９】
ファイル一覧２０３においてファイルが選択され（ステップＳ５１５でＹＥＳ）、それが暗号化されていないファイルであるならば（ステップＳ５１７でＮＯ）、パスワード入力用テキストボックスを含まない印刷用予備画面２０９（図３Ｂ）を表示する（ステップＳ５２９）。
【００６０】
パスワード入力用テキストボックスを含む印刷用予備画面２０５（図３Ｂ）において、暗号解読用パスワード入力用のテキストボックス２０５ａにパスワードが入力されたならば（ステップＳ５３１でＹＥＳ）、入力されたパスワードを保存して（ステップＳ５３３）、ステップＳ５３５に進む。
【００６１】
パスワード入力用テキストボックスを含む印刷用予備画面２０５（図３Ｂ）において、プレビューボタン２０５ｂが押されたならば（ステップＳ５３５でＹＥＳ）、保存されているパスワードを用いてプレビュー解析をして、プレビュー表示をする（ステップＳ５３７）。なお、図示していないが、プレビュー表示からは、ステップＳ５３９に戻ることができる。また、図示していないが、パスワードが保存されていない場合には、ステップＳ５３７を実行せずにステップＳ５３９に進む。
【００６２】
パスワード入力用テキストボックスを含む印刷用予備画面２０５（図３Ｂ）において、印刷ボタン２０５ｃが押されたならば（ステップＳ５３５でＹＥＳ）、保存されているパスワードを用いて本解析をして、印刷をして（ステップＳ５４１）、処理を終了する。なお、図示していないが、パスワードが保存されていない場合には、ステップＳ５４１を実行せずにステップＳ５３１に戻る。  パスワード入力用テキストボックスを含まない印刷用予備画面２０９（図３Ｂ）において、プレビューボタン２０９ａが押されたならば（ステップＳ５５１でＹＥＳ）、プレビュー解析をして、プレビュー表示をする（ステップＳ５３３）。なお、図示していないが、プレビュー表示からは、ステップＳ５５５に戻ることができる。
【００６３】
パスワード入力用テキストボックスを含まない印刷用予備画面２０９（図３Ｂ）において、印刷ボタン２０９ｂが押されたならば（ステップＳ５５５でＹＥＳ）、本解析をして、印刷をして（ステップＳ５５７）、処理を終了する。
【００６４】
ステップＳ５１９からステップＳ５１３に戻ってもよいし、ステップＳ５２９からステップＳ５１３に戻ってもよい。
【００６５】
［第２の実施の形態］
本発明の第２の実施の形態においては、ＵＳＢメモリに記録されているファイルを読み込んだならば、それらのファイルをプレビュー以外により一覧表示するが、第１の実施の形態とは異なり、一覧表示する前に、一次解析を行わないため、一覧表示をするときには各ファイルが暗号化されているか否かが確認できていない。従って、一覧表示においては、各ファイルについて暗号化されているか否かがわからない態様で各ファイルを表示する。
【００６６】
なお、プレビュー以外により一覧表示することには、ファイル名で一覧表示すること、アイコンで表示すること、これらの両者で表示することが含まれる。また、ファイルの属性を追加的に表示することも含まれる。
【００６７】
プレビュー以外により一覧表示されている何れかのファイルが利用者などにより選択されたならば、そのファイルを本解析してから内容を印刷するが、選択されたファイルが暗号化されているならば、パスワードを要求するための画面により利用者などによるパスワードの入力を受け付け、本解析においてそのパスワードによりファイルを暗号解読してから、印刷をする。
【００６８】
また、プレビュー表示することも可能であるが、印刷の場合と同様に、選択されたファイルが暗号化されているならば、パスワードを要求するための画面により利用者などによるパスワードの入力を受け付け、プレビュー解析においてそのパスワードによりファイルを暗号解読してから、プレビューをする。
【００６９】
この例を示した図５Ａ及び図５Ｂを参照すると、ＵＩ制御部１１５により制御される操作パネル８４３において、まずＵＳＢメモリ２２１が入力先として選択されると、Ｉ／Ｏ部１０１は、ＵＳＢメモリ２２１に記録されているＰＤＦファイルを読み込む。
【００７０】
次に、ＵＩ制御部１１５は、操作パネル８４３において、ＵＳＢメモリ２２１から読み込まれた各ＰＤＦの一覧２２３を表示する。図５Ａに示す例においては、暗号化されているＰＤＦファイルであるFile2.pdfは、暗号化されていないＰＤＦファイルであるFile1.pdfとFile3.pdfと同様な態様で表示される。
【００７１】
次に、一覧２２３において、暗号化されているＰＤＦファイルであるFile2.pdfが選択されたならば、データ解析部１０５は、File2.pdfを一次解析する。これによりFile2.pdfが暗号化されていることが初めてわかる。
【００７２】
ＵＩ制御部１１５は、操作パネル８４３において暗号解読用パスワードを入力するための画面２２５を表示する。
【００７３】
画面２２５には、暗号解読用パスワードを入力するためのテキストボックス２２５ａの他に、「プレビュー」ボタン２２５ｂ及び「印刷」ボタン２２５ｃが表示される。
【００７４】
暗号解読用パスワードを入力するためのテキストボックス２２５ａにパスワードが入力された後で、「プレビュー」ボタン２２５ｂが押されたならば、データ解析部１０５は、暗号化されているＰＤＦファイルであるFile2.pdfを暗号解読しながらプレビュー解析する。そして、ＵＩ制御部１１５は、操作パネル８４３にFile2.pdfの内容をプレビュー表示する。
【００７５】
暗号解読用パスワードを入力するためのテキストボックス２２５ａにパスワードが入力された後で、「印刷」ボタン２２５ｃが押されたならば、ＵＩ制御部１１５は、操作パネル８４３において印刷設定画面２２７を表示する。印刷設定画面２２７には、「用紙サイズ」ボタン２２７ａ、「カラーモード」ボタン２２７ｂ、「両面」ボタン２２７ｃ、「印刷」ボタン２２７ｄが表示される。利用者は、必要に応じて「用紙サイズ」ボタン２２７ａ、「カラーモード」ボタン２２７ｂ、「両面」ボタン２２７ｃを用いてこれらの設定をする。印刷設定画面２２７において「印刷」ボタン２２７ｄが押されたならば、データ解析部１０５は、暗号化されているＰＤＦファイルであるFile2.pdfを暗号解読しながら本解析する。そして、画像生成部１０７、ジョブ制御部１１１、エンジン制御部１０９、画像形成部３０などによりFile2.pdfの内容を印刷する。
【００７６】
次に、一覧２２３において、暗号化されていないＰＤＦファイルであるFile1.pdfが選択されたならば、データ解析部１０５は、File1.pdfを一次解析する。これによりFile1.pdfが暗号化されていないことが初めてわかる。
【００７７】
ＵＩ制御部１１５は、操作パネル８４３において暗号解読用パスワードを入力するためのテキストボックスを含まない画面２２９を表示する。
【００７８】
画面２２９には、「プレビュー」ボタン２２９ｂ及び「印刷」ボタン２２９ｂが表示される。
【００７９】
「プレビュー」ボタン２２９ｂが押されたならば、データ解析部１０５は、暗号化されていないＰＤＦファイルであるFile1.pdfをプレビュー解析する。そして、ＵＩ制御部１１５は、操作パネル８４３にFile1.pdfの内容をプレビュー表示する。
【００８０】
「印刷」ボタン２２９ｂが押されたならば、ＵＩ制御部１１５は、操作パネル８４３において印刷設定画面２３１を表示する。なお、印刷設定画面２３１は、左上に表示されているファイル名が異なるのみで、他は、印刷設定画面２２７と同様である。印刷設定画面２３１には、「用紙サイズ」ボタン２３１ａ、「両面」ボタン２３１ｂ、「カラーモード」ボタン２３１ｃ、「印刷」ボタン２３１ｄが表示される。利用者は、必要に応じて「用紙サイズ」ボタン２３１ａ、「両面」ボタン２３１ｂ、「カラーモード」ボタン２３１ｃを用いてこれらの設定をする。印刷設定画面２３１において「印刷」ボタン２３１ｄが押されたならば、データ解析部１０５は、暗号化されていないＰＤＦファイルであるFile1.pdfを本解析する。そして、画像生成部１０７、ジョブ制御部１１１、エンジン制御部１０９、画像形成部３０などによりFile1.pdfの内容を印刷する。
【００８１】
次に、図６及び図４Ｂを参照して、第３の実施の形態の動作について説明をする。ここでは、上記の理由によりＰＤＦファイルという用語の代わりに、ファイルという用語を用いる。
【００８２】
まず、各ファイルが暗号化されているか否かを視認できないファイル一覧２２３を表示する（ステップＳ５２１）。
【００８３】
次に、ファイル一覧においてファイルが選択されたならば（ステップＳ５２３でＹＥＳ）、選択されたファイルを一次解析し（ステップＳ５２５）、それが暗号化ファイルであるならば（ステップＳ５２７でＹＥＳ）、パスワード入力用テキストボックスを含む印刷用予備画面２０５（図３Ｂ）を表示する（ステップＳ５１９）。
【００８４】
ファイル一覧においてファイルが選択されたならば（ステップＳ５２３でＹＥＳ、選択されたファイルを一次解析し（ステップＳ５２５）、それが暗号化されていないファイルであるならば（ステップＳ５２７でＮＯ）、パスワード入力用テキストボックスを含まない印刷用予備画面２０９（図３Ｂ）を表示する（ステップＳ５２９）。
【００８５】
パスワード入力用テキストボックスを含む印刷用予備画面２０５（図３Ｂ）において、暗号解読用パスワード入力用のテキストボックス２０５ａにパスワードが入力されたならば（ステップＳ５３１でＹＥＳ）、入力されたパスワードを保存して（ステップＳ５３３）、ステップＳ５３５に進む。
【００８６】
パスワード入力用テキストボックスを含む印刷用予備画面２０５（図３Ｂ）において、プレビューボタン２０５ｂが押されたならば（ステップＳ５３５でＹＥＳ）、保存されているパスワードを用いてプレビュー解析をして、プレビュー表示をする（ステップＳ５３７）。なお、図示していないが、プレビュー表示からは、ステップＳ５３９に戻ることができる。また、図示していないが、パスワードが保存されていない場合には、ステップＳ５３７を実行せずにステップＳ５３９に進む。
【００８７】
パスワード入力用テキストボックスを含む印刷用予備画面２０５（図３Ｂ）において、印刷ボタン２０５ｃが押されたならば（ステップＳ５３５でＹＥＳ）、保存されているパスワードを用いて本解析をして、印刷をして（ステップＳ５４１）、処理を終了する。なお、図示していないが、パスワードが保存されていない場合には、ステップＳ５４１を実行せずにステップＳ５３１に戻る。
【００８８】
パスワード入力用テキストボックスを含まない印刷用予備画面２０９（図３Ｂ）において、プレビューボタン２０９ａが押されたならば（ステップＳ５５１でＹＥＳ）、プレビュー解析をして、プレビュー表示をする（ステップＳ５３３）。なお、図示していないが、プレビュー表示からは、ステップＳ５５５に戻ることができる。
【００８９】
パスワード入力用テキストボックスを含まない印刷用予備画面２０９（図３Ｂ）において、印刷ボタン２０９ｂが押されたならば（ステップＳ５５５でＹＥＳ）、本解析をして、印刷をして（ステップＳ５５７）、処理を終了する。
【００９０】
ステップＳ５１９からステップＳ５２１に戻ってもよいし、ステップＳ５２９からステップＳ５２１に戻ってもよい。
【００９１】
［第３の実施の形態］
第１の実施の形態と第２の実施の形態を比較すると、第１の実施の形態では、一覧２０３において、暗号化されているＰＤＦファイルと暗号化されていないＰＤＦファイルとが異なった態様で表示されるため、利用者は、どのＰＤＦファイルが暗号化されていて、どのＰＤＦファイルが暗号化されていないかを認識することとができる。これに対して、第２の実施の形態では、一覧２２３において、暗号化されているＰＤＦファイルと暗号化されていないＰＤＦファイルとが同様な態様で表示されるため、利用者は、どのＰＤＦファイルが暗号化されていて、どのＰＤＦファイルが暗号化されていないかを認識することとができない。
【００９２】
また、第１の実施の形態では、一覧２０３を表示する前に、データ解析部１０５が一覧２０３に表示するべきファイルを一次解析するが、第２の実施の形態では、一覧２２３を表示する前に、データ解析部１０５は一覧２２３に表示するべきファイルを一次解析しない。その代わりに、データ解析部１０５は、一覧２２３において選択されたファイルのみを一次解析する。
【００９３】
従って、第２の実施の形態は、利用者が一覧においてファイルを選択する際に、ファイルが暗号化されているかを認識することができる利便性を持たないが、一覧を表示する前の一次解析を省略するので、一覧を表示するまでの待ち時間を短縮することができる利点を有する。従って、早さ優先の場合は、処理の順序における一次解析の位置を、第１の実施の形態における位置よりも第２の実施の形態における位置を選択するとよい。視認性優先の場合は、処理の順序における一次解析の位置を、第２の実施の形態における位置よりも第１の実施の形態における位置を選択するとよい。
【００９４】
例えば、図７Ａに示す画面にあるように、処理の順序における一次解析の位置として、入力先がＵＳＢメモリである場合には、第１の実施の形態における位置を選択して、入力先がＦＴＰサーバである場合には、第２の実施の形態における位置を選択してもよい。つまり、入力先がＵＳＢメモリである場合には、視認性優先として、入力先がＦＴＰサーバである場合には、早さ優先としてもよい。なお、後で説明するように、そもそも、入力先に対して、どちらを優先するかという設定をしなくてもよい。
【００９５】
また、図７Ｂに示す画面に示すように、処理の順序における一次解析の位置として、Ａさんが、自分がログインユーザである場合には、第１の実施の形態における位置を選択できるようにしてもよい。つまり、Ａさんがログインしているときには視認性優先としてもよい。
【００９６】
更に、図７Ｃに示す画面に示すように、処理の順序における一次解析の位置として、Ｂさんが、自分がログインユーザである場合には、第２の実施の形態における位置を選択できるようにしてもよい。つまり、Ｂさんがログインしているときには早さ優先としてもよい。
【００９７】
なお、後で説明するように、そもそも、ログインしている利用者に対して、どちらを優先するかという設定をしなくてもよい。
【００９８】
更に、処理の順序における一次解析の位置として、第１又は第２の実施の形態における位置の何れかをディフォルトの位置として複合機に設定してもよい。つまり、装置に対して、視認性優先の設定又は早さ優先の設定をすることができる。
【００９９】
更に、ログインユーザに応じた優先事項（視認性又は速さ）、入力先に応じた優先事項（視認性又は速さ）、ディフォルトの優先事項（視認性又は速さ）に優先順位を付けてもよい。つまり、例えば、ログインユーザに応じた優先事項、入力先に応じた優先事項、ディフォルトの優先事項にこの順に高い優先度を持たせてもよい。この場合には、今回ログインユーザに対して何れかの優先事項が設定されているならば、今回ログインユーザに対する優先事項を選択する。ログインユーザに対して優先事項が設定されていなくて、今回の入力先に対して何れかの優先事項が設定されているならば、今回の優先事項を選択する。ログインユーザに対して優先事項が設定されていなくて、しかも、今回の入力先に対しても優先事項が設定されていないならば、複合機にディフォルトで設定されている優先事項を選択する。なお、複合機には、必ず何れかの優先事項が設定されているものとする。
【０１００】
利用者と入力先の少なくとも一部の組合わせに対して優先事項を設定して、このような組合わせに対応した優先事項に最高の優先順位を持たせてもよい。
【０１０１】
次に、図８及び図４Ｂを参照して、第３の実施の形態の動作について説明をする。ここでは、上記の理由によりＰＤＦファイルという用語の代わりに、ファイルという用語を用いる。
【０１０２】
この例では、優先事項について、優先度がユーザ、入力先、複合機の順に並んでいるものとする。
【０１０３】
現在ログインしているユーザに対して優先事項が決められていて（ステップＳ５０１でＹＥＳ）、それが表示速度ならば（ステップＳ５０３でＹＥＳ）、ステップＳ５２１に進む。
【０１０４】
現在ログインしているユーザに対して優先事項が決められていて（ステップＳ５０１でＹＥＳ）、それが視認性ならば（ステップＳ５０３でＮＯ）、ステップＳ５１１に進む。
【０１０５】
現在ログインしているユーザに対して優先事項が決められていなくて（ステップＳ５０１でＮＯ）、入力先に対して優先事項が決められていて（ステップＳ５０５でＹＥＳ）、それが表示速度ならば（ステップＳ５０７でＹＥＳ）、ステップＳ５２１に進む。
【０１０６】
現在ログインしているユーザに対して優先事項が決められていなくて（ステップＳ５０１でＮＯ）、入力先に対して優先事項が決められていて（ステップＳ５０５でＹＥＳ）、それが視認性ならば（ステップＳ５０７でＮＯ）、ステップＳ５１１に進む。
【０１０７】
現在ログインしているユーザに対して優先事項が決められていなくて（ステップＳ５０１でＮＯ）、入力先に対して優先事項が決められていなくて（ステップＳ５０５でＮＯ）、複合機本体に対して設定されている優先事項が表示速度ならば（ステップＳ５０９でＹＥＳ）、ステップＳ５２１に進む。
【０１０８】
現在ログインしているユーザに対して優先事項が決められていなくて（ステップＳ５０１でＮＯ）、入力先に対して優先事項が決められていなくて（ステップＳ５０５でＮＯ）、複合機本体に対して設定されている優先事項が視認性ならば（ステップＳ５０９でＮＯ）、ステップＳ５１１に進む。
【０１０９】
ステップＳ５１１では、入力先から読み込んだ全ファイルを一次解析する。
【０１１０】
次に、各ファイルが暗号化されているか否かを視認できるファイル一覧２０３（図３Ａ）を表示する（ステップＳ５１３）。
【０１１１】
次に、ファイル一覧２０３においてファイルが選択され（ステップＳ５１５でＹＥＳ）、それが暗号化ファイルであるならば（ステップＳ５１７でＹＥＳ）、パスワード入力用テキストボックスを含む印刷用予備画面２０５（図３Ｂ）を表示する（ステップＳ５１９）。
【０１１２】
ファイル一覧２０３においてファイルが選択され（ステップＳ５１５でＹＥＳ）、それが暗号化されていないファイルであるならば（ステップＳ５１７でＮＯ）、パスワード入力用テキストボックスを含まない印刷用予備画面２０９（図３Ｂ）を表示する（ステップＳ５２９）。
【０１１３】
ステップＳ５２１では、各ファイルが暗号化されているか否かを視認できないファイル一覧２２３を表示する。
【０１１４】
次に、ファイル一覧においてファイルが選択されたならば（ステップＳ５２３でＹＥＳ）、選択されたファイルを一次解析し（ステップＳ５２５）、それが暗号化ファイルであるならば（ステップＳ５２７でＹＥＳ）、パスワード入力用テキストボックスを含む印刷用予備画面２０５（図３Ｂ）を表示する（ステップＳ５１９）。
【０１１５】
ファイル一覧においてファイルが選択されたならば（ステップＳ５２３でＹＥＳ、選択されたファイルを一次解析し（ステップＳ５２５）、それが暗号化されていないファイルであるならば（ステップＳ５２７でＮＯ）、パスワード入力用テキストボックスを含まない印刷用予備画面２０９（図３Ｂ）を表示する（ステップＳ５２９）。
【０１１６】
パスワード入力用テキストボックスを含む印刷用予備画面２０５（図３Ｂ）において、暗号解読用パスワード入力用のテキストボックス２０５ａにパスワードが入力されたならば（ステップＳ５３１でＹＥＳ）、入力されたパスワードを保存して（ステップＳ５３３）、ステップＳ５３５に進む。
【０１１７】
パスワード入力用テキストボックスを含む印刷用予備画面２０５（図３Ｂ）において、プレビューボタン２０５ｂが押されたならば（ステップＳ５３５でＹＥＳ）、保存されているパスワードを用いてプレビュー解析をして、プレビュー表示をする（ステップＳ５３７）。なお、図示していないが、プレビュー表示からは、ステップＳ５３９に戻ることができる。また、図示していないが、パスワードが保存されていない場合には、ステップＳ５３７を実行せずにステップＳ５３９に進む。
【０１１８】
パスワード入力用テキストボックスを含む印刷用予備画面２０５（図３Ｂ）において、印刷ボタン２０５ｃが押されたならば（ステップＳ５３５でＹＥＳ）、保存されているパスワードを用いて本解析をして、印刷をして（ステップＳ５４１）、処理を終了する。なお、図示していないが、パスワードが保存されていない場合には、ステップＳ５４１を実行せずにステップＳ５３１に戻る。
【０１１９】
パスワード入力用テキストボックスを含まない印刷用予備画面２０９（図３Ｂ）において、プレビューボタン２０９ａが押されたならば（ステップＳ５５１でＹＥＳ）、プレビュー解析をして、プレビュー表示をする（ステップＳ５３３）。なお、図示していないが、プレビュー表示からは、ステップＳ５５５に戻ることができる。
【０１２０】
パスワード入力用テキストボックスを含まない印刷用予備画面２０９（図３Ｂ）において、印刷ボタン２０９ｂが押されたならば（ステップＳ５５５でＹＥＳ）、本解析をして、印刷をして（ステップＳ５５７）、処理を終了する。
【０１２１】
優先事項が視認性ならば、ステップＳ５１９からステップＳ５１３に戻ってもよいし、ステップＳ５２９からステップＳ５１３に戻ってもよい。
【０１２２】
優先事項が速さならば、ステップＳ５１９からステップＳ５２１に戻ってもよいし、ステップＳ５２９からステップＳ５２１に戻ってもよい。
【０１２３】
［第４の実施の形態］
第１乃至第３の実施の形態では、ファイルの一覧は、プレビュー以外で表示した。これに対して、第４の実施の形態では、ファイルの一覧表示をプレビューによる一覧表示とする。ここで、プレビューによる一覧表示には、プレビューのみによる一覧表示の他に、プレビューとプレビュー以外の組合せによる一覧表示も含まれる。例えば、プレビューとファイル名による一覧表示も含まれるし、プレビューとファイル名とファイル属性による一覧表示も含まれる。但し、最初の一覧表示においては、暗号化されていないファイルの内容をプレビュー表示するが、暗号化されているファイルはプレビュー表示せずに、その代わりに、暗号化されていることがわかるような画像を表示する。
【０１２４】
この例を示した図９Ａ、図９Ｂ及び図９Ｃを参照すると、ＵＩ制御部１１５により制御される操作パネル８４３において、まずＵＳＢメモリ２４１が入力先として選択されると、Ｉ／Ｏ部１０１は、ＵＳＢメモリ２４１に記録されているＰＤＦファイルを読み込む。
【０１２５】
次に、データ解析部１０５は、読み込まれた各ＰＤＦファイルを一次解析する。これにより各ＰＤＦファイルが暗号化されているのか否かを判断することができる。次にデータ解析部１０５は、暗号化されていないＰＤＦファイルをプレビュー解析することにより、そのＰＤＦの内容のプレビュー画像を生成する。なお、暗号化されているＰＤＦファイルはプレビュー解析されない。
【０１２６】
次に、ＵＩ制御部１１５は、操作パネル８４３において、ＵＳＢメモリから読み込まれた各ＰＤＦファイルのうち暗号化されていないファイルをプレビューにより、暗号化されているファイルをプレビュー以外により一覧２４３に表示する。図９Ａに示す例においては、暗号化されていないＰＤＦファイルであるFile1.pdf及びFile4.pdfは、プレビューにより表示するが、暗号化されているＰＤＦファイルであるFile2.pdfとFile3.pdfとFile5.pdfとFile6.pdfはプレビュー以外により表示する。
【０１２７】
次に、一覧２４３において、暗号化されているＰＤＦファイルであるFile2.pdfが選択されたならば、File2.pdfが暗号化されていることが既に一次解析によりわかっているので、ＵＩ制御部１１５は、操作パネル８４３において暗号解読用パスワードを入力するための画面２４５を表示する。
【０１２８】
画面２４５には、暗号解読用パスワードを入力するためのテキストボックス２４５ａの他に、「プレビュー一覧」ボタン２４５ｂ、「プレビュー」ボタン２４５ｃ及び「印刷」ボタン２４５ｄが表示される。
【０１２９】
暗号解読用パスワードを入力するためのテキストボックス２４５ａにパスワードが入力された後で、「プレビュー」ボタン２４５ｃが押されたならば、データ解析部１０５は、暗号化されているＰＤＦファイルであるFile2.pdfを暗号解読しながらプレビュー解析する。そして、ＵＩ制御部１１５は、操作パネル８４３にFile2.pdfの内容をプレビュー表示する（図示せず）。プレビュー表示の画面からは、画面２４５に戻ることができる。
【０１３０】
暗号解読用パスワードを入力するためのテキストボックス２４５ａにパスワードが入力された後で、「印刷」ボタン２４５ｄが押されたならば、ＵＩ制御部１１５は、操作パネル８４３において印刷設定画面２４７を表示する。印刷設定画面２４７には、プレビュー画像２４７ａ、「用紙サイズ」ボタン２４７ｂ、「カラーモード」ボタン２４７ｃ、「両面」ボタン２４７ｄ、「印刷」ボタン２４７ｅが表示される。利用者は、必要に応じて「用紙サイズ」ボタン２４７ｂ、「カラーモード」ボタン２４７ｃ、「両面」ボタン２４７ｄを用いてこれらの設定をする。印刷設定画面２４７において「印刷」ボタン２４７ｅが押されたならば、データ解析部１０５は、暗号化されているＰＤＦファイルであるFile2.pdfを暗号解読しながら本解析する。そして、画像生成部１０７、ジョブ制御部１１１、エンジン制御部１０９、画像形成部３０などによりFile2.pdfの内容を印刷する。
【０１３１】
なお、暗号解読用パスワードを入力するためのテキストボックス２４５ａにパスワードが入力された後で、「プレビュー一覧」ボタン２４５ｂが押されたならば、データ解析部１０５は、一覧２４３にプレビュー以外で表示されているFile2.pdfとFile3.pdfとFile5.pdfとFile6.pdfのプレビュー解析を暗号解読をテキストボックス２４５ａに入力されたパスワードを用いて試みる。
【０１３２】
ここで、File2.pdfの暗号解読用のパスワードを用いてFile3.pdfとFile6.pdfも暗号解読することができるならば、そのパスワードを用いてこれらの３つのファイルをプレビュー解析することによりそれらの内容のプレビュー画像を取得することができる。
【０１３３】
次に、ＵＩ制御部１１５は、暗号化されていないＰＤＦファイルであるFile1.pdf及びFile4.pdfと、暗号解読できたＰＤＦファイルであるFile2.pdfとFile3.pdfとFile5.pdfをプレビューにより、暗号解読できなかったＰＤＦファイルであるFile6.pdfをプレビュー以外により一覧２４９に表示する。
【０１３４】
次に、一覧２４３において、暗号化されていないＰＤＦファイルであるFile1.pdfが選択されたならば、File1.pdfが暗号化されていないことが既に一次解析によりわかっているので、ＵＩ制御部１１５は、操作パネル８４３において暗号解読用パスワードを入力するためのテキストボックスを含まない画面２５１を表示する。
【０１３５】
画面２５１には、「プレビュー一覧」ボタン２４９ａ、「プレビュー」ボタン２４９ｂ及び「印刷」ボタン２４９ｃが表示される。
【０１３６】
「プレビュー」ボタン２４９ｂが押されたならば、データ解析部１０５は、暗号化されていないＰＤＦファイルであるFile1.pdfをプレビュー解析する。そして、ＵＩ制御部１１５は、操作パネル８４３にFile1.pdfの内容をプレビュー表示する（図示せず）。プレビュー表示の画面からは、画面２５１に戻ることができる。
【０１３７】
「印刷」ボタン２４９ｃが押されたならば、ＵＩ制御部１１５は、操作パネル８４３において印刷設定画面２５３を表示する。印刷設定画面２５３には、プレビュー画像２５１ａ、「用紙サイズ」ボタン２５１ｂ、「カラーモード」ボタン２５１ｃ、「両面」ボタン２５１ｄ、「印刷」ボタン２５１ｅが表示される。利用者は、必要に応じて「用紙サイズ」ボタン２５１ｂ、「カラーモード」ボタン２５１ｃ、「両面」ボタン２５１ｄを用いてこれらの設定をする。印刷設定画面２５１において「印刷」ボタン２５１ｅが押されたならば、データ解析部１０５は、暗号化されていないＰＤＦファイルであるFile1.pdfを本解析する。そして、画像生成部１０７、ジョブ制御部１１１、エンジン制御部１０９、画像形成部３０などによりFile1.pdfの内容を印刷する。
【０１３８】
なお、「プレビュー一覧」ボタン２４９ａが押されたならば、ＵＩ制御部１１５は、暗号化されていないＰＤＦファイルであるFile1.pdf及びFile4.pdfをプレビューにより、暗号化されているFile2.pdfとFile3.pdfとFile5.pdfとFile6.pdfをプレビュー以外により一覧２４９に表示する。なお、暗号化されているFile2.pdfとFile3.pdfとFile5.pdfとFile6.pdfについては、既に入力されたパスワードで暗号解読できたファイルならば、プレビューにより表示してもよい。
【０１３９】
次に、図１０Ａ、図１０Ｂ及び図１０Ｃを参照して、第４の実施の形態の動作について説明をする。
【０１４０】
まず、入力先から読み込んだ全ファイルを一次解析する（ステップＳ６０１）。
【０１４１】
次に、入力先から読み込んだ全ファイルのうちの暗号化されていない全てのファイルをプレビュー解析する（ステップＳ６０３）。
【０１４２】
次に、暗号化されていない全てのファイルをプレビューにより表示し、暗号化されている全てのファイルをプレビュー以外により表示するようなファイル一覧２４３（図９Ａ）を表示する（ステップＳ６０５）。
【０１４３】
次に、ファイル一覧２４３においてファイルが選択され（ステップＳ６０７でＹＥＳ、ステップＳ６０８でＮＯ）、それが暗号化ファイルであるならば（ステップＳ６０９でＹＥＳ）、パスワード入力用テキストボックスを含む印刷用予備画面２４５（図９Ｂ）を表示する（ステップＳ６１１）。
【０１４４】
ファイル一覧２４３においてファイルが選択され（ステップＳ６０７でＹＥＳ、ステップＳ６０８でＮＯ）、それが暗号化されていないファイルであるならば（ステップＳ６０９でＮＯ）、パスワード入力用テキストボックスを含まない印刷用予備画面２５１（図９Ｂ）を表示する（ステップＳ６１３）。
【０１４５】
なお、終了が選択されたならば（ステップＳ６０７でＮＯ、ステップＳ６０８でＹＥＳ）、処理を終了する。
【０１４６】
パスワード入力用テキストボックスを含む印刷用予備画面２４５（図９Ｂ）において、暗号解読用パスワード入力用のテキストボックス２４５ａにパスワードが入力されたならば（ステップＳ６２１でＹＥＳ）、入力されたパスワードを保存して（ステップＳ６２３）、ステップＳ６２５に進む。
【０１４７】
パスワード入力用テキストボックスを含む印刷用予備画面２４５（図９Ｂ）において、プレビューボタン２４５ｃが押されたならば（ステップＳ６２５でＹＥＳ）、保存されているパスワードを用いてプレビュー解析をして、プレビュー表示をする（ステップＳ６２７）。なお、図示していないが、プレビュー表示からは、ステップＳ６２９に戻ることができる。また、図示していないが、パスワードが保存されていない場合には、ステップＳ６２７を実行せずにステップＳ６２９に進む。
【０１４８】
パスワード入力用テキストボックスを含む印刷用予備画面２４５（図９Ｂ）において、プレビュー一覧ボタン２４５ｂが押されたならば（ステップＳ６２９でＹＥＳ）、暗号化されている全てのファイルについて保存されているパスワードで暗号解読することができるかどうかを確認した上で、暗号化されていないファイルと暗号解読できたファイルをプレビューにより表示し、暗号解読できなかったファイルをプレビュー以外により表示するような一覧２４９（図９Ｃ）を表示する（ステップＳ６３１（図１０Ａ））。
【０１４９】
パスワード入力用テキストボックスを含む印刷用予備画面２４５５（図９Ｂ）において、印刷ボタン２４５ｃが押されたならば（ステップＳ６３３でＹＥＳ）、保存されているパスワードを用いて本解析をして、印刷をしてから（ステップＳ６３５）、ステップＳ６３１に進む。なお、図示していないが、パスワードが保存されていない場合には、ステップＳ６３５を実行せずにステップＳ６２１に戻る。
【０１５０】
パスワード入力用テキストボックスを含まない印刷用予備画面２５１（図９Ｂ）において、プレビューボタン２４９ｂが押されたならば（ステップＳ６４１でＹＥＳ）、プレビュー解析をして、プレビュー表示をする（ステップＳ６４３）。なお、図示していないが、プレビュー表示からは、ステップＳ６４５に戻ることができる。
【０１５１】
パスワード入力用テキストボックスを含まない印刷用予備画面２５１（図９Ｂ）において、プレビュー一覧ボタン２４９ａが押されたならば（ステップＳ６４５でＹＥＳ）、暗号化されている全てのファイルについて保存されているパスワードで暗号解読することができるかどうかを確認した上で、暗号化されていないファイルと暗号解読できたファイルをプレビューにより表示し、暗号解読できなかったファイルをプレビュー以外により表示するような一覧２４９（図９Ｃ）を表示する（ステップＳ６３１（図１０Ａ））。
【０１５２】
パスワード入力用テキストボックスを含まない印刷用予備画面２５１（図９Ｂ）において、印刷ボタン２４９ｃが押されたならば（ステップＳ６４９でＹＥＳ）、本解析をして、印刷をしてから（ステップＳ６５１）、ステップＳ６３１に進む。
【０１５３】
なお、入力された全てのパスワードを保存しておいて、２度目以降のステップＳ６３１では、保存されている全てのパスワードを用いて、暗号化されている全てのファイルについて保存されているパスワードで暗号解読することができるかどうかを確認した上で、暗号化されていないファイルと暗号解読できたファイルをプレビューにより表示し、暗号解読できなかったファイルをプレビュー以外により表示するような一覧２４９（図９Ｃ）を表示する。
【０１５４】
［第５の実施の形態］
第５の実施の形態においては、データ解析部１０５による一次解析により内部にエラーがあることが判別されたＰＤＦファイルをそれがわかるように表示することにより、利用者が誤ってそのようなＰＤＦファイルを選択できないようにする。
【０１５５】
この例を示した図１１を参照すると、ＵＩ制御部１１５により制御される操作パネル８４３において、まずＵＳＢメモリ２６１が入力先として選択されると、Ｉ／Ｏ部１０１は、ＵＳＢメモリに記録されているＰＤＦファイルを読み込む。
【０１５６】
次に、データ解析部１０５は、読み込まれた各ＰＤＦファイルについて一次解析を実行する。これにより、各ＰＤＦファイルのうちの少なくとも一次解析のために必要な部分にエラーがあるか否かを判別することができる。
【０１５７】
図１１の例では、File2.pdfの一次解析のために必要な部分にエラーがあるために、それがわかるようにFile2.pdfが表示されている。File2.pdfを選択できないように表示してもよい。
【０１５８】
［第６の実施の形態］
上記の実施の形態において、印刷をする代わりに、ネットワークへの送出、ファクシミリ送信、内部記憶装置への書き込みなどの出力を行ってもよい。
【０１５９】
［第７の実施の形態］
第７の実施の形態は、第１乃至第６の実施の形態による原稿読取装置を含む複合機８００に関するものである。図１２及び図１３は、複合機８００の構成などを示すものである。
【０１６０】
図及び図１３に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８４３と、操作パネル部８４３による操作に基づいて原稿読取装置８２０及び複合機本体８３０を制御する演算処理部８４１と、を備えている。
【０１６１】
画像読取りのために原稿読取装置８２０を単体で用いること、画像形成のために複合機本体８３０を単体で用いることの他に、画像を複写するためにこれらを連動させることもできる。また、複合機８００は図示しない記憶装置及びファクシミリ装置を含んでいてもよい。記憶装置は、原稿読取装置８２０により読み取られた画像やファクシミリ装置により受信した画像を格納することができる。ファクシミリ装置は、原稿読取装置８２０により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【０１６２】
原稿読取装置８２０は、原稿を自動給送する原稿自動給送部ＳＰＦ（Ｓｉｎｇｌｅ  Ｐａｓｓ  Ｆｅｅｄｅｒ）８２４と、原稿の画像を読み取る読取装置本体８２２と、を備えている。なお、原稿読取装置８２０は、図１３に示す構成要素の他に、図１３は示されないが図１２に示される構成要素も含む。また、図１３に示すように、読取装置本体８２２には、原稿台８２６が備わる。
【０１６３】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【０１６４】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【０１６５】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【０１６６】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【０１６７】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【０１６８】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナ７４３Ｙと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【０１６９】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【０１７０】
操作パネル部８４３は、所定の情報を表示する表示部８４５と、利用者が原稿読取装置８２０及び複合機本体８３０への指示を入力する入力部８４７と、を備えている。本実施形態においては、操作パネル部８４３は、読取装置本体８２２の正面側に配設されている。なお、正面側は図１２の紙面の手前側に対応し、裏面側は図１２の背面側に対応する。
【０１７１】
図１３に示すように、演算処理部８４１は、シート給送部１０、手差し給送部２０、画像形成部３０及び原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、利用者による操作パネル部８４３への操作に基づいて、シート給送部１０、手差し給送部２０、画像形成部３０及び原稿読取装置８２０の動作を統合して制御し、シートに画像を形成させる。
【０１７２】
演算処理部８４１は、ファイル処理装置１０１の全部または一部を含んでいてよい。
【０１７３】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【０１７４】
利用者による操作パネル部８４３の入力部８４７への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【０１７５】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【０１７６】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【０１７７】
トナー像が転写されたシートは、定着部３４で加熱・加圧されることでトナー像が溶融定着され、排出ローラ対１８により装置外に排出される。装置外に排出されたシートは、排出シート積載部１９に積載される。
【０１７８】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【０１７９】
なお、上記のファイル処理装置は、ハードウェア、ソフトウェア又はこれらの組合わせにより実現することができる。また、上記のファイル処理により行なわれるファイル処理方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１８０】
プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１８１】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【０１８２】
本発明は、暗号化されているファイルと暗号化されていないファイルが混合している状態において、これらを処理するために利用することができる。
【符号の説明】
【０１８３】
１０１  複合機
１０１  Ｉ／Ｏ部
１０５  データ解析部
１０７  画像生成部
１０９  エンジン制御部
１１１  ジョブ制御部
１１５  ＵＩ制御部
【図１Ａ】
2020061076.tif 000003
【図１Ｂ】
2020061076.tif 000004
【図１Ｃ】
2020061076.tif 000005
【図２】
2020061076.tif 000006
【図３Ａ】
2020061076.tif 000007
【図３Ｂ】
2020061076.tif 000008
【図４Ａ】
2020061076.tif 000009
【図４Ｂ】
2020061076.tif 000010
【図５Ａ】
2020061076.tif 000011
【図５Ｂ】
2020061076.tif 000012
【図６】
2020061076.tif 000013
【図７Ａ】
2020061076.tif 000014
【図７Ｂ】
2020061076.tif 000015
【図７Ｃ】
2020061076.tif 000016
【図８】
2020061076.tif 000017
【図９Ａ】
2020061076.tif 000018
【図９Ｂ】
2020061076.tif 000019
【図９Ｃ】
2020061076.tif 000020
【図１０Ａ】
2020061076.tif 000021
【図１０Ｂ】
2020061076.tif 000022
【図１０Ｃ】
2020061076.tif 000023
【図１１】
2020061076.tif 000024
【図１２】
2020061076.tif 000025
【図１３】
2020061076.tif 000026